(57)【要約】【課題】消費者による自然生産物の生産情報等の取得を妨げることなく、重要な生産情報等の改竄や不正取得を防止して、セキュリュティレベルを高めることができる自然生産物履歴管理システムを得ることを目的とする。【解決手段】アクセス権限を備えている特定端末４以外のアクセスを拒否する生産情報管理装置１の他に、生産情報管理装置１に管理されている生産情報のうち、公開が許可されている生産情報を管理している公開情報管理装置３を設け、情報取得端末５が自然生産物等に貼り付けられているＱＲコード付ラベルから自然生産物の識別コードを読み取り、公開情報管理装置３にアクセスして、その識別コードに対応する自然生産物の生産情報を取得する。【選択図】図１
2007280207.tif 000002
【特許請求の範囲】
【請求項１】
自然生産物の生産情報を管理しており、アクセス権限を備えている特定端末以外のアクセスを拒否する生産情報管理装置と、上記生産情報管理装置に管理されている生産情報のうち、公開が許可されている生産情報を管理している公開情報管理装置と、上記自然生産物又は上記自然生産物の包装に貼り付けられているラベルから上記自然生産物の識別コードを読み取り、上記公開情報管理装置にアクセスして、上記識別コードに対応する自然生産物の生産情報を取得する情報取得端末とを備えた自然生産物履歴管理システム。
【請求項２】
アクセス権限を備えている特定端末が生産情報管理装置にアクセスして、上記生産情報管理装置に管理される自然生産物の生産情報と公開を許可する自然生産物の生産情報とを設定し、上記生産情報管理装置が上記特定端末により公開が許可された自然生産物の生産情報を公開情報管理装置に送信することを特徴とする請求項１記載の自然生産物履歴管理システム。
【請求項３】
公開情報管理装置は、自然生産物毎に公開が許可されている生産情報を管理しており、情報取得端末から自然生産物の識別コードを受けると、上記識別コードに対応する自然生産物の生産情報を上記情報取得端末に送信することを特徴とする請求項１または請求項２記載の自然生産物履歴管理システム。
【請求項４】
自然生産物の出荷情報及び流通情報を管理しており、アクセス権限を備えている特定端末以外のアクセスを拒否する出荷流通情報管理装置と、上記出荷流通情報管理装置に管理されている出荷情報及び流通情報のうち、公開が許可されている出荷情報及び流通情報を管理している公開情報管理装置と、上記自然生産物又は上記自然生産物の包装に貼り付けられているラベルから上記自然生産物の識別コードを読み取り、上記公開情報管理装置にアクセスして、上記識別コードに対応する自然生産物の出荷情報及び流通情報を取得する情報取得端末とを備えた自然生産物履歴管理システム。
【請求項５】
アクセス権限を備えている特定端末が出荷流通情報管理装置にアクセスして、上記出荷流通情報管理装置に管理される自然生産物の出荷情報及び流通情報と公開を許可する自然生産物の出荷情報及び流通情報とを設定し、上記出荷流通情報管理装置が上記特定端末により公開が許可された自然生産物の出荷情報及び流通情報を公開情報管理装置に送信することを特徴とする請求項４記載の自然生産物履歴管理システム。
【請求項６】
公開情報管理装置は、自然生産物毎に公開が許可されている出荷情報及び流通情報を管理しており、情報取得端末から自然生産物の識別コードを受けると、上記識別コードに対応する自然生産物の出荷情報及び流通情報を上記情報取得端末に送信することを特徴とする請求項４または請求項５記載の自然生産物履歴管理システム。
【発明の詳細な説明】
【技術分野】
【０００１】
この発明は、自然生産物の生産状況や流通状況などを公開して、自然生産物の安心や安全を消費者に提供する自然生産物履歴管理システムに関するものである。
【背景技術】
【０００２】
従来の自然生産物履歴管理システムは、例えば、農畜産物の生産者、生産過程や流通過程などの情報を消費者に公開して、農畜産物の安心や安全を消費者に提供することができるようにするために、これらの情報を管理している公開センタコンピュータをインターネット上に設置するようにしている。
これにより、消費者がパソコンや携帯電話機などを操作して、公開センタコンピュータにアクセスすれば、農畜産物の生産者、生産過程や流通過程などの情報を取得することができる（例えば、特許文献１を参照）。
【０００３】
【特許文献１】特開２００４−９４６８８号公報（段落番号［００１０］、図１）
【発明の開示】
【発明が解決しようとする課題】
【０００４】
従来の自然生産物履歴管理システムは以上のように構成されているので、消費者がパソコンや携帯電話機などを操作して、公開センタコンピュータにアクセスすれば、農畜産物の生産者、生産過程や流通過程などの情報を取得することができる。しかし、公開センタコンピュータが不特定多数の端末からのアクセスを受け付けるため、例えば、農畜産物の生産情報などを改竄されるなどの被害を受けることがあり、セキュリュティレベルが低いなどの課題があった。
【０００５】
この発明は上記のような課題を解決するためになされたもので、消費者による自然生産物の生産情報等の取得を妨げることなく、重要な生産情報等の改竄や不正取得を防止して、セキュリュティレベルを高めることができる自然生産物履歴管理システムを得ることを目的とする。
【課題を解決するための手段】
【０００６】
この発明に係る自然生産物履歴管理システムは、アクセス権限を備えている特定端末以外のアクセスを拒否する生産情報管理装置の他に、その生産情報管理装置に管理されている生産情報のうち、公開が許可されている生産情報を管理している公開情報管理装置を設け、情報取得端末が自然生産物又は自然生産物の包装に貼り付けられているラベルから自然生産物の識別コードを読み取り、公開情報管理装置にアクセスして、その識別コードに対応する自然生産物の生産情報を取得するようにしたものである。
【発明の効果】
【０００７】
この発明によれば、アクセス権限を備えている特定端末以外のアクセスを拒否する生産情報管理装置の他に、その生産情報管理装置に管理されている生産情報のうち、公開が許可されている生産情報を管理している公開情報管理装置を設け、情報取得端末が自然生産物又は自然生産物の包装に貼り付けられているラベルから自然生産物の識別コードを読み取り、公開情報管理装置にアクセスして、その識別コードに対応する自然生産物の生産情報を取得するように構成したので、消費者による自然生産物の生産情報等の取得を妨げることなく、重要な生産情報等の改竄や不正取得を防止して、セキュリュティレベルを高めることができる効果がある。
【発明を実施するための最良の形態】
【０００８】
実施の形態１．
図１はこの発明の実施の形態１による自然生産物履歴管理システムを示す構成図であり、図において、生産情報管理装置１は例えばインターネットなどのネットワーク６に接続されているＷｅｂサーバであり、生産情報管理装置１は自然生産物（自然生産物は、自然界で生産可能な物の他、自然界で生産された物が加工された物を含み、例えば、米、大豆、人参、い草、魚、貝、食用の牛・豚・鳥、卵、松茸、いくら、豆腐、牛乳、スギ、ハム、酒、醤油、家具などが該当する）の生産情報（例えば、自然生産物の品種、圃場、農薬、肥料、栽培方法、栽培期間）を管理する機能や、アクセス権限を備えている特定端末４以外のアクセスを拒否する機能などを備えている。
出荷流通情報管理装置２はネットワーク６に接続されているＷｅｂサーバであり、出荷流通情報管理装置２は自然生産物の出荷情報及び流通情報を管理する機能や、アクセス権限を備えている特定端末４以外のアクセスを拒否する機能などを備えている。
【０００９】
公開情報管理装置３はネットワーク６に接続されているＷｅｂサーバであり、公開情報管理装置３は生産情報管理装置１に管理されている生産情報のうち、公開が許可されている生産情報を管理している。また、公開情報管理装置３は出荷流通情報管理装置２に管理されている出荷情報及び流通情報のうち、公開が許可されている出荷情報及び流通情報を管理している。
特定端末４は自然生産物の生産農家や農協や流通センターなどに設置されているパソコンなどの端末であり、特定端末４は生産情報管理装置１及び出荷流通情報管理装置２に対するアクセス権限を備えている。
また、特定端末４は生産情報管理装置１に管理される自然生産物の生産情報と公開を許可する自然生産物の生産情報とを設定する機能や、出荷流通情報管理装置２に管理される自然生産物の出荷情報及び流通情報と公開を許可する自然生産物の出荷情報及び流通情報とを設定する機能を備えている。
【００１０】
情報取得端末５は消費者が所有しているパソコンや携帯電話機、あるいは、自然生産物の販売店に設置されているＰＯＳ端末などが該当し、自然生産物又は自然生産物の包装に貼り付けられているＱＲコード付ラベルから自然生産物の識別コードを読み取り、公開情報管理装置３にアクセスして、その識別コードに対応する自然生産物の生産情報や出荷情報及び流通情報を取得する。
【００１１】
図２はこの発明の実施の形態１による自然生産物履歴管理システムの生産情報管理装置１を示す構成図であり、図において、ネットワークＩ／Ｆ部１１はネットワーク６に対するインタフェースであり、例えば、特定端末４などと各種の情報を送受信する処理を実施する。
認証情報格納部１２は予めアクセス権限を備えている特定端末４の認証情報（例えば、特定端末４のＩＤ＋パスワード）を格納しているメモリである。
アクセス権限確認部１３はネットワークＩ／Ｆ部１１が例えば特定端末４や不特定の端末からアクセスを受けると、アクセス元の端末に認証情報の送信を要求し、アクセス元の端末から送信された認証情報と認証情報格納部１２に格納されている認証情報を比較して、アクセス元の端末がアクセス権限を備えているか否かを確認する処理を実施する。アクセス権限確認部１３はアクセス元の端末がアクセス権限を備えている特定端末４であればアクセスを許可し、アクセス元の端末がアクセス権限を備えていない不特定の端末であればアクセスを拒否する。
【００１２】
生産情報管理部１４はアクセス権限確認部１３によりアクセスが許可された特定端末４から管理対象の生産情報の設定を受け付けて、その生産情報を生産情報格納部１５に蓄積するとともに、公開対象の生産情報の設定を受け付けて、その生産情報を情報送信部１６に出力する処理を実施する。
生産情報格納部１５は管理対象の生産情報を蓄積するメモリである。
情報送信部１６はアクセス権限確認部１３及びネットワークＩ／Ｆ部１１を介して公開情報管理装置３とアクセスし、生産情報管理部１４から出力された公開対象の生産情報を公開情報管理装置３に送信する処理を実施する。
【００１３】
なお、アクセス権限確認部１３、生産情報管理部１４及び情報送信部１６は、専用のハードウェア（例えば、ＭＰＵなどが実装されている半導体集積回路基板）から構成されていることを想定しているが、アクセス権限確認部１３、生産情報管理部１４及び情報送信部１６の処理内容が記述されているプログラムを生産情報管理装置１のメモリに格納し、生産情報管理装置１のＣＰＵが当該メモリに格納されているプログラムを実行するようにしてもよい。
【００１４】
図３はこの発明の実施の形態１による自然生産物履歴管理システムの出荷流通情報管理装置２を示す構成図であり、図において、ネットワークＩ／Ｆ部２１はネットワーク６に対するインタフェースであり、例えば、特定端末４などと各種の情報を送受信する処理を実施する。
認証情報格納部２２は予めアクセス権限を備えている特定端末４の認証情報（例えば、特定端末４のＩＤ＋パスワード）を格納しているメモリである。
アクセス権限確認部２３はネットワークＩ／Ｆ部２１が例えば特定端末４や不特定の端末からアクセスを受けると、アクセス元の端末に認証情報の送信を要求し、アクセス元の端末から送信された認証情報と認証情報格納部２２に格納されている認証情報を比較して、アクセス元の端末がアクセス権限を備えているか否かを確認する処理を実施する。アクセス権限確認部２３はアクセス元の端末がアクセス権限を備えている特定端末４であればアクセスを許可し、アクセス元の端末がアクセス権限を備えていない不特定の端末であればアクセスを拒否する。
【００１５】
出荷流通情報管理部２４はアクセス権限確認部２３によりアクセスが許可された特定端末４から管理対象の出荷情報及び流通情報の設定を受け付けて、その出荷情報及び流通情報を出荷流通情報格納部２５に蓄積するとともに、公開対象の出荷情報及び流通情報の設定を受け付けて、その出荷情報及び流通情報を情報送信部２６に出力する処理を実施する。
出荷流通情報格納部２５は管理対象の出荷情報及び流通情報を蓄積するメモリである。
情報送信部２６はアクセス権限確認部２３及びネットワークＩ／Ｆ部２１を介して公開情報管理装置３とアクセスし、出荷流通情報管理部２４から出力された公開対象の出荷情報及び流通情報を公開情報管理装置３に送信する処理を実施する。
【００１６】
なお、アクセス権限確認部２３、出荷流通情報管理部２４及び情報送信部２６は、専用のハードウェア（例えば、ＭＰＵなどが実装されている半導体集積回路基板）から構成されていることを想定しているが、アクセス権限確認部２３、出荷流通情報管理部２４及び情報送信部２６の処理内容が記述されているプログラムを出荷流通情報管理装置２のメモリに格納し、出荷流通情報管理装置２のＣＰＵが当該メモリに格納されているプログラムを実行するようにしてもよい。
【００１７】
図４はこの発明の実施の形態１による自然生産物履歴管理システムの公開情報管理装置３を示す構成図であり、図において、ネットワークＩ／Ｆ部３１はネットワーク６に対するインタフェースであり、例えば、生産情報管理装置１及び出荷流通情報管理装置２や情報取得端末５と各種の情報を送受信する処理を実施する。
公開情報管理部３２はネットワークＩ／Ｆ部３１が生産情報管理装置１から送信された公開対象の生産情報を受信すると、公開対象の生産情報を生産情報格納部３３に出力し、ネットワークＩ／Ｆ部３１が出荷流通情報管理装置２から送信された公開対象の出荷情報及び流通情報を受信すると、公開対象の出荷情報及び流通情報を出荷流通情報格納部３４に出力する。
【００１８】
生産情報格納部３３は生産対象物毎に、公開対象の生産情報を保存しているメモリである。
出荷流通情報格納部３４は生産対象物毎に、公開対象の出荷情報及び流通情報を保存しているメモリである。
アクセス処理部３５は情報取得端末５からアクセスを受けて、情報取得端末５から生産対象物の識別コードを受けると、生産情報格納部３３及び出荷流通情報格納部３４から識別コードに対応する生産情報、出荷情報及び流通情報を取得して、その生産情報、出荷情報及び流通情報を情報取得端末５に送信する。
【００１９】
なお、公開情報管理部３２及びアクセス処理部３５は、専用のハードウェア（例えば、ＭＰＵなどが実装されている半導体集積回路基板）から構成されていることを想定しているが、公開情報管理部３２及びアクセス処理部３５の処理内容が記述されているプログラムを公開情報管理装置３のメモリに格納し、公開情報管理装置３のＣＰＵが当該メモリに格納されているプログラムを実行するようにしてもよい。
【００２０】
図５はこの発明の実施の形態１による自然生産物履歴管理システムの特定端末４を示す構成図であり、図において、ネットワークＩ／Ｆ部４１はネットワーク６に対するインタフェースであり、例えば、生産情報管理装置１や出荷流通情報管理装置２と各種の情報を送受信する処理を実施する。
操作デバイス４２は例えばキーボードやマウスなどのマンマシンインタフェースであり、管理対象の生産情報や公開対象の生産情報等を設定する際に、自然生産物の生産者や農協の職員などが使用する。
認証情報記憶部４３は予め自然生産物履歴管理システムの管理者等から与えられた認証情報（例えば、特定端末４のＩＤ＋パスワード）を記憶しているメモリである。
【００２１】
アクセス要求受付部４４は操作デバイス４２から生産情報管理装置１に対するアクセス要求を受けると生産情報管理装置１にアクセスし、操作デバイス４２から出荷流通情報管理装置２に対するアクセス要求を受けると出荷流通情報管理装置２にアクセスする処理を実施する。
また、アクセス要求受付部４４は生産情報管理装置１又は出荷流通情報管理装置２にアクセスして、生産情報管理装置１又は出荷流通情報管理装置２から送信された認証情報の送信要求を受信する。
認証情報送信部４５はアクセス要求受付部４４が認証情報の送信要求を受信すると、認証情報記憶部４３に記憶されている認証情報を生産情報管理装置１又は出荷流通情報管理装置２に送信する。
【００２２】
生産情報設定部４６は生産情報管理装置１からアクセス許可を受けると、管理対象及び公開対象の生産情報の設定を受け付けて、その生産情報を生産情報管理装置１に送信する処理を実施する。
出荷流通情報設定部４７は出荷流通情報管理装置２からアクセス許可を受けると、管理対象及び公開対象の出荷情報及び流通情報の設定を受け付けて、その出荷情報及び流通情報を出荷流通情報管理装置２に送信する処理を実施する。
【００２３】
なお、アクセス要求受付部４４、認証情報送信部４５、生産情報設定部４６及び出荷流通情報設定部４７は、専用のハードウェア（例えば、ＭＰＵなどが実装されている半導体集積回路基板）から構成されていることを想定しているが、アクセス要求受付部４４、認証情報送信部４５、生産情報設定部４６及び出荷流通情報設定部４７の処理内容が記述されているプログラムを特定端末４のメモリに格納し、特定端末４のＣＰＵが当該メモリに格納されているプログラムを実行するようにしてもよい。
【００２４】
図６はこの発明の実施の形態１による自然生産物履歴管理システムの情報取得端末５を示す構成図であり、図において、ネットワークＩ／Ｆ部５１はネットワーク６に対するインタフェースであり、例えば、公開情報管理装置３と各種の情報を送受信する処理を実施する。
操作デバイス５２は例えばキーボードやマウスなどのマンマシンインタフェースであり、コードリーダ５３の操作や公開情報管理装置３から生産情報等を取得する際に消費者が使用する。
コードリーダ５３は自然生産物又は自然生産物の包装に貼り付けられているＱＲコード付ラベルから自然生産物の識別コードを読み取る処理を実施する。
なお、ＱＲコード付ラベルには、自然生産物の識別コードや公開情報管理装置３のＵＲＬ（ホームページアドレス）などが印刷されている。また、ＱＲコード付ラベルは貼り換えが不可能なシールで構成されている。
【００２５】
情報取得要求部５４はコードリーダ５３により読み取られたＵＲＬ又は図示せぬメモリに格納されている公開情報管理装置３のＵＲＬにアクセス要求を送信することにより、公開情報管理装置３にアクセスし、コードリーダ５３により読み取られた自然生産物の識別コードに対応する自然生産物の生産情報や出荷情報及び流通情報の取得要求を公開情報管理装置３に送信する。
情報取得処理部５５は公開情報管理装置３から送信された自然生産物の生産情報や出荷情報及び流通情報を受信する処理を実施する。
情報表示部５６は情報取得処理部５５により受信された自然生産物の生産情報や出荷情報及び流通情報をディスプレイに表示する処理を実施する。
【００２６】
なお、情報取得要求部５４、情報取得処理部５５及び情報表示部５６は、専用のハードウェア（例えば、ＭＰＵなどが実装されている半導体集積回路基板）から構成されていることを想定しているが、情報取得要求部５４、情報取得処理部５５及び情報表示部５６の処理内容が記述されているプログラムを情報取得端末５のメモリに格納し、情報取得端末５のＣＰＵが当該メモリに格納されているプログラムを実行するようにしてもよい。
【００２７】
次に動作について説明する。
まず、自然生産物の生産者や農協の職員などが自然生産物を出荷する際、自然生産物の識別コードや公開情報管理装置３のＵＲＬを示すＱＲコードをラベルに印刷し、ＱＲコード付ラベルを出荷対象の自然生産物又は自然生産物の包装に貼り付けるようにする。
例えば、自然生産物の生産者や農協の職員などが自然生産物の生産情報を生産情報管理装置１に設定する場合、自然生産物の生産者や農協の職員などが特定端末４の操作デバイス４２を使用して、生産情報管理装置１に対するアクセス要求を入力する。
特定端末４のアクセス要求受付部４４は、操作デバイス４２から生産情報管理装置１に対するアクセス要求を受けると、ネットワークＩ／Ｆ部４１を介して、生産情報管理装置１にアクセスする。
【００２８】
生産情報管理装置１のアクセス権限確認部１３は、ネットワークＩ／Ｆ部１１が特定端末４からアクセスを受けると、アクセス元の端末である特定端末４がアクセス権限を備えている端末であるか否かを確認するために、ネットワークＩ／Ｆ部１１を介して、認証情報の送信要求を特定端末４に送信する。
特定端末４のアクセス要求受付部４４は、ネットワークＩ／Ｆ部４１を介して、生産情報管理装置１から送信された認証情報の送信要求を受信する。
特定端末４の認証情報送信部４５は、アクセス要求受付部４４が認証情報の送信要求を受信すると、認証情報記憶部４３に記憶されている認証情報（例えば、特定端末４のＩＤ＋パスワード）を生産情報管理装置１に送信する。
【００２９】
生産情報管理装置１のアクセス権限確認部１３は、ネットワークＩ／Ｆ部１１が特定端末４から送信された認証情報を受信すると、その認証情報と認証情報格納部１２に格納されている認証情報を比較して、アクセス元の端末である特定端末４がアクセス権限を備えている端末であるか否かを確認する。
アクセス権限確認部１３は、特定端末４から送信された認証情報と認証情報格納部１２に格納されている認証情報が一致する場合、特定端末４がアクセス権限を備えていると判定し、特定端末４のアクセスを許可する。この場合、アクセス権限確認部１３は、ネットワークＩ／Ｆ部１１を介して、アクセス許可情報を特定端末４に送信する。
【００３０】
ここでは、生産情報管理装置１がアクセス権限を備えている特定端末４からアクセスを受けているので、特定端末４のアクセスを許可するようにしているが、生産情報管理装置１がアクセス権限を備えていない不特定の端末からアクセスを受けた場合、生産情報管理装置１のアクセス権限確認部１３が認証情報の送信要求を不特定の端末に送信しても、不特定の端末から正当な認証情報が送信されて来ないので（不特定の端末には、生産情報管理装置１の認証情報格納部１２に格納されている認証情報と同じ認証情報が与えられていない）、不特定の端末にはアクセスが許可されない。
【００３１】
特定端末４の生産情報設定部４６は、ネットワークＩ／Ｆ部４１が生産情報管理装置１から送信されたアクセス許可情報を受信すると、管理対象や公開対象の生産情報の設定を受け付ける処理を実施する。
生産情報設定部４６は、例えば、図７に示すような生産情報の設定画面をディスプレイに表示する。
自然生産物の生産者や農協の職員などは、生産情報の設定画面が特定端末４のディスプレイに表示されると、特定端末４の操作デバイス４２を使用して、管理対象や公開対象の生産情報を設定する。また、自然生産物の識別コード（ユニークなコード）を設定する。
図７の例では、自然生産物の生産情報として、自然生産物の品種、圃場、農薬、肥料、栽培方法、栽培期間を設定するようにしている。
自然生産物の生産者や農協の職員などは、特定端末４の操作デバイス４２を使用して、公開対象フラグにチェックを入れれば、そのフラグに対応する生産情報は、公開が許可された公開対象の生産情報になる。
図７の例では、自然生産物の品種、肥料、栽培期間が、公開対象の生産情報になっている。
【００３２】
特定端末４の生産情報設定部４６は、上記のようにして、自然生産物の生産者や農協の職員などが、管理対象及び公開対象の生産情報と自然生産物の識別コードを設定すると、ネットワークＩ／Ｆ部４１を介して、自然生産物の識別コードと一緒に、管理対象及び公開対象の生産情報を生産情報管理装置１に送信する。
生産情報管理装置１の生産情報管理部１４は、ネットワークＩ／Ｆ部１１が特定端末４から送信された自然生産物の識別コードと管理対象及び公開対象の生産情報を受信すると、管理対象の生産情報の設定を受け付けて、その生産情報を識別コードと対にして生産情報格納部１５に蓄積する。
また、生産情報管理部１４は、自然生産物の識別コードと公開対象の生産情報を情報送信部１６に出力する。
【００３３】
生産情報管理装置１の情報送信部１６は、生産情報管理部１４から自然生産物の識別コードと公開対象の生産情報を受けると、アクセス権限確認部１３及びネットワークＩ／Ｆ部１１を介して、公開情報管理装置３とアクセスし、自然生産物の識別コードと公開対象の生産情報を公開情報管理装置３に送信する。
公開情報管理装置３の公開情報管理部３２は、ネットワークＩ／Ｆ部３１が生産情報管理装置１から送信された自然生産物の識別コードと公開対象の生産情報を受信すると、自然生産物の識別コードと公開対象の生産情報を生産情報格納部３３に出力する。
公開情報管理装置３の生産情報格納部３３は、公開情報管理部３２から自然生産物の識別コードと公開対象の生産情報を受けると、自然生産物の識別コードと公開対象の生産情報を対にして蓄積する。
【００３４】
次に、例えば、農協の職員や流通業者などが自然生産物の出荷情報や流通情報を出荷流通情報管理装置２に設定する場合、農協の職員や流通業者などが特定端末４の操作デバイス４２を使用して、出荷流通情報管理装置２に対するアクセス要求を入力する。
特定端末４のアクセス要求受付部４４は、操作デバイス４２から出荷流通情報管理装置２に対するアクセス要求を受けると、ネットワークＩ／Ｆ部４１を介して、出荷流通情報管理装置２にアクセスする。
【００３５】
出荷流通情報管理装置２のアクセス権限確認部２３は、ネットワークＩ／Ｆ部２１が特定端末４からアクセスを受けると、アクセス元の端末である特定端末４がアクセス権限を備えている端末であるか否かを確認するために、ネットワークＩ／Ｆ部２１を介して、認証情報の送信要求を特定端末４に送信する。
特定端末４のアクセス要求受付部４４は、ネットワークＩ／Ｆ部４１を介して、出荷流通情報管理装置２から送信された認証情報の送信要求を受信する。
特定端末４の認証情報送信部４５は、アクセス要求受付部４４が認証情報の送信要求を受信すると、認証情報記憶部４３に記憶されている認証情報（例えば、特定端末４のＩＤ＋パスワード）を出荷流通情報管理装置２に送信する。
【００３６】
出荷流通情報管理装置２のアクセス権限確認部２３は、ネットワークＩ／Ｆ部２１が特定端末４から送信された認証情報を受信すると、その認証情報と認証情報格納部２２に格納されている認証情報を比較して、アクセス元の端末である特定端末４がアクセス権限を備えている端末であるか否かを確認する。
アクセス権限確認部２３は、特定端末４から送信された認証情報と認証情報格納部２２に格納されている認証情報が一致する場合、特定端末４がアクセス権限を備えていると判定し、特定端末４のアクセスを許可する。この場合、アクセス権限確認部２３は、ネットワークＩ／Ｆ部２１を介して、アクセス許可情報を特定端末４に送信する。
【００３７】
ここでは、出荷流通情報管理装置２がアクセス権限を備えている特定端末４からアクセスを受けているので、特定端末４のアクセスを許可するようにしているが、出荷流通情報管理装置２がアクセス権限を備えていない不特定の端末からアクセスを受けた場合、出荷流通情報管理装置２のアクセス権限確認部２３が認証情報の送信要求を不特定の端末に送信しても、不特定の端末から正当な認証情報が送信されて来ないので（不特定の端末には、出荷流通情報管理装置２の認証情報格納部２２に格納されている認証情報と同じ認証情報が与えられていない）、不特定の端末にはアクセスが許可されない。
【００３８】
特定端末４の出荷流通情報設定部４７は、ネットワークＩ／Ｆ部４１が出荷流通情報管理装置２から送信されたアクセス許可情報を受信すると、管理対象や公開対象の出荷情報及び流通情報の設定を受け付ける処理を実施する。
出荷流通情報設定部４７は、例えば、図８に示すような出荷情報及び流通情報の設定画面をディスプレイに表示する。
農協の職員や流通業者などは、出荷情報及び流通情報の設定画面が特定端末４のディスプレイに表示されると、特定端末４の操作デバイス４２を使用して、管理対象や公開対象の出荷情報及び流通情報を設定する。また、自然生産物の識別コードを設定する。
図８の例では、自然生産物の出荷情報及び流通情報として、自然生産物の出荷日時、流通日時、流通経路を設定するようにしている。
農協の職員や流通業者などは、特定端末４の操作デバイス４２を使用して、公開対象フラグにチェックを入れれば、そのフラグに対応する出荷情報及び流通情報は、公開が許可された公開対象の出荷情報及び流通情報になる。
図８の例では、自然生産物の出荷日時、流通日時が、公開対象の出荷情報及び流通情報になっている。
【００３９】
特定端末４の出荷流通情報設定部４７は、上記のようにして、農協の職員や流通業者などが、管理対象及び公開対象の出荷情報及び流通情報と自然生産物の識別コードを設定すると、ネットワークＩ／Ｆ部４１を介して、自然生産物の識別コードと一緒に、管理対象及び公開対象の出荷情報及び流通情報を出荷流通情報管理装置２に送信する。
出荷流通情報管理装置２の出荷流通情報管理部２４は、ネットワークＩ／Ｆ部２１が特定端末４から送信された自然生産物の識別コードと管理対象及び公開対象の出荷情報及び流通情報を受信すると、管理対象の出荷情報及び流通情報の設定を受け付けて、その出荷情報及び流通情報を識別コードと対にして出荷流通情報格納部２５に蓄積する。
また、出荷流通情報管理部２４は、自然生産物の識別コードと公開対象の出荷情報及び流通情報を情報送信部２６に出力する。
【００４０】
出荷流通情報管理装置２の情報送信部２６は、出荷流通情報管理部２４から自然生産物の識別コードと公開対象の出荷情報及び流通情報を受けると、アクセス権限確認部２３及びネットワークＩ／Ｆ部２１を介して、公開情報管理装置３とアクセスし、自然生産物の識別コードと公開対象の出荷情報及び流通情報を公開情報管理装置３に送信する。
公開情報管理装置３の公開情報管理部３２は、ネットワークＩ／Ｆ部３１が出荷流通情報管理装置２から送信された自然生産物の識別コードと公開対象の出荷情報及び流通情報を受信すると、自然生産物の識別コードと公開対象の出荷情報及び流通情報を出荷流通情報格納部３４に出力する。
公開情報管理装置３の出荷流通情報格納部３４は、公開情報管理部３２から自然生産物の識別コードと公開対象の出荷情報及び流通情報を受けると、自然生産物の識別コードと公開対象の出荷情報及び流通情報を対にして蓄積する。
【００４１】
消費者が例えば販売店の店頭に並んでいる自然生産物や、購入した自然生産物の生産情報や流通情報等を知りたい場合、情報取得端末５のコードリーダ５３を操作して、自然生産物又は自然生産物の包装に貼り付けられているＱＲコード付ラベルから自然生産物の識別コードや公開情報管理装置３のＵＲＬを読み取る処理を実施する。
情報取得端末５の情報取得要求部５４は、コードリーダ５３が自然生産物の識別コードや公開情報管理装置３のＵＲＬを読み取ると、公開情報管理装置３のＵＲＬにアクセス要求を送信することにより、公開情報管理装置３にアクセスする。
ここでは、ＱＲコードに公開情報管理装置３のＵＲＬが含まれているので、ＱＲコード付ラベルから公開情報管理装置３のＵＲＬを読み取るようにしているが、予め、情報取得端末５のメモリ（図示せぬ）に公開情報管理装置３のＵＲＬが格納されている場合、ＱＲコード付ラベルから公開情報管理装置３のＵＲＬを読み取ることなく、公開情報管理装置３にアクセスすることができる。
【００４２】
そして、情報取得端末５の情報取得要求部５４は、コードリーダ５３により読み取られた自然生産物の識別コードに対応する自然生産物の生産情報、出荷情報及び流通情報の取得要求を公開情報管理装置３に送信する。
公開情報管理装置３のアクセス処理部３５は、情報取得端末５からアクセスを受けて、情報取得端末５から生産情報等の取得要求を受けると、生産情報格納部３３から生産対象物の識別コードに対応する生産情報を取得し、出荷流通情報格納部３４から識別コードに対応する出荷情報及び流通情報を取得する。
アクセス処理部３５は、生産対象物の生産情報、出荷情報及び流通情報を取得すると、ネットワークＩ／Ｆ部３１を介して、生産対象物の生産情報、出荷情報及び流通情報を情報取得端末５に送信する。
【００４３】
情報取得端末５の情報取得処理部５５は、公開情報管理装置３から送信された自然生産物の生産情報、出荷情報及び流通情報を受信する。
情報取得端末５の情報表示部５６は、情報取得処理部５５が自然生産物の生産情報、出荷情報及び流通情報を受信すると、自然生産物の生産情報、出荷情報及び流通情報をディスプレイに表示する。
【００４４】
以上で明らかなように、この実施の形態１によれば、アクセス権限を備えている特定端末４以外のアクセスを拒否する生産情報管理装置１及び出荷流通情報管理装置２の他に、その生産情報管理装置１及び出荷流通情報管理装置２に管理されている生産情報、出荷情報及び流通情報のうち、公開が許可されている生産情報、出荷情報及び流通情報を管理している公開情報管理装置３を設け、情報取得端末５が自然生産物又は自然生産物の包装に貼り付けられているＱＲコード付ラベルから自然生産物の識別コードを読み取り、公開情報管理装置３にアクセスして、その識別コードに対応する自然生産物の生産情報、出荷情報及び流通情報を取得するように構成したので、消費者による自然生産物の生産情報等の取得を妨げることなく、重要な生産情報等の改竄や不正取得を防止して、セキュリュティレベルを高めることができる効果を奏する。
【００４５】
即ち、情報取得端末５が公開情報管理装置３にアクセスすることで、公開が許可されている自然生産物の生産情報、出荷情報及び流通情報を取得することができる一方、アクセス権限を備えている特定端末４以外のアクセスを拒否する生産情報管理装置１及び出荷流通情報管理装置２が重要な生産情報、出荷情報及び流通情報を管理するようにしているので、消費者による自然生産物の生産情報等の取得を妨げることなく、重要な生産情報等の改竄や不正取得を防止して、セキュリュティレベルを高めることができる。
【００４６】
また、この実施の形態１によれば、アクセス権限を備えている特定端末４が生産情報管理装置１にアクセスして、生産情報管理装置１に管理される自然生産物の生産情報と公開を許可する自然生産物の生産情報とを設定し、生産情報管理装置１が特定端末４により公開が許可された自然生産物の生産情報を公開情報管理装置３に送信するように構成したので、自然生産物の生産者等が簡単に管理対象の生産情報と公開対象の生産情報を設定することができる効果を奏する。
【００４７】
また、この実施の形態１によれば、アクセス権限を備えている特定端末４が出荷流通情報管理装置２にアクセスして、出荷流通情報管理装置２に管理される自然生産物の出荷情報及び流通情報と公開を許可する自然生産物の出荷情報及び流通情報とを設定し、出荷流通情報管理装置２が特定端末４により公開が許可された自然生産物の出荷情報及び流通情報を公開情報管理装置３に送信するように構成したので、農協の職員等が簡単に管理対象の出荷情報等と公開対象の出荷情報等を設定することができる効果を奏する。
【図面の簡単な説明】
【００４８】
【図１】この発明の実施の形態１による自然生産物履歴管理システムを示す構成図である。
【図２】この発明の実施の形態１による自然生産物履歴管理システムの生産情報管理装置を示す構成図である。
【図３】この発明の実施の形態１による自然生産物履歴管理システムの出荷流通情報管理装置を示す構成図である。
【図４】この発明の実施の形態１による自然生産物履歴管理システムの公開情報管理装置を示す構成図である。
【図５】この発明の実施の形態１による自然生産物履歴管理システムの特定端末を示す構成図である。
【図６】この発明の実施の形態１による自然生産物履歴管理システムの情報取得端末を示す構成図である。
【図７】生産情報の設定画面を示す説明図である。
【図８】出荷情報及び流通情報の設定画面を示す説明図である。
【符号の説明】
【００４９】
１  生産情報管理装置、２  出荷流通情報管理装置、３  公開情報管理装置、４  特定端末、５  情報取得端末、６  ネットワーク、１１  ネットワークＩ／Ｆ部、１２  認証情報格納部、１３  アクセス権限確認部、１４  生産情報管理部、１５  生産情報格納部、１６  情報送信部、２１  ネットワークＩ／Ｆ部、２２  認証情報格納部、２３  アクセス権限確認部、２４  出荷流通情報管理部、２５  出荷流通情報格納部、２６  情報送信部、３１  ネットワークＩ／Ｆ部、３２  公開情報管理部、３３  生産情報格納部、３４  出荷流通情報格納部、３５  アクセス処理部、４１  ネットワークＩ／Ｆ部、４２  操作デバイス、４３  認証情報記憶部、４４  アクセス要求受付部、４５  認証情報送信部、４６  生産情報設定部、４７  出荷流通情報設定部、５１  ネットワークＩ／Ｆ部、５２  操作デバイス、５３  コードリーダ、５４  情報取得要求部、５５  情報取得処理部、５６  情報表示部。
【図１】
2007280207.tif 000003
【図２】
2007280207.tif 000004
【図３】
2007280207.tif 000005
【図４】
2007280207.tif 000006
【図５】
2007280207.tif 000007
【図６】
2007280207.tif 000008
【図７】
2007280207.tif 000009
【図８】
2007280207.tif 000010